(57)【要約】【課題】刃体の着脱を必要とせずに把持部に対する刃体の角度を簡単に変更できる、安全、衛生的かつ視野性に優れた医療用ナイフを提供する。【解決手段】把持部と刃体、及びその刃体を保持する刃体ホルダ部とを有するナイフ本体と、そのナイフ本体の一部を被覆する刃体カバーと、この刃体カバーを前記ナイフ本体に対して刃体を収納する収納位置及び露出する露出位置に係止可能な係止部と、を備える医療用ナイフであって、前記係止部が前記刃体カバーと前記ナイフ本体を前記収納位置と複数の露出位置において係止可能であり、その複数の露出位置において露出した前記刃体の角度がそれぞれ異なるようにする。【選択図】図１
2011110198.tif 000002
【特許請求の範囲】
【請求項１】
把持部と刃体、及び該刃体を保持する刃体ホルダ部とを有するナイフ本体と、該ナイフ本体の一部を被覆する刃体カバーと、該刃体カバーを前記ナイフ本体に対して刃体を収納する収納位置及び露出する露出位置に係止可能な係止部と、を備える医療用ナイフにおいて、
前記刃体ホルダ部が、前記刃体カバーと係合する第一係合部及び第二係合部を備えると共に前記刃体を保持する可動部と、該可動部を軸直角方向に回動可能に弾性支持する弾性支持部と、を備え、
前記刃体カバーが、前記第一係合部及び第二係合部と係合する第一案内部及び第二案内部を備え、
前記第一係合部は、前記第一案内部と係合して前記可動部を軸方向に案内すると共に、前記第一案内部の隅角部と摺接する第一摺接面を有しその接点を中心に前記可動部を回動させ、
前記第二係合部は、前記第二案内部と係合して前記可動部を軸方向に案内すると共に、前記第二案内部の案内面と段階的に摺接するため角度の異なる複数の平面から成る第二摺接面を有し、これにより前記可動部の回動を案内し、
前記係止部が前記刃体カバーと前記ナイフ本体を前記収納位置と複数の露出位置において係止可能であり、該複数の露出位置において露出した前記刃体が前記第二摺接面の傾斜角度に従って各々異なる角度に傾斜することを特徴とする医療用ナイフ。
【請求項２】
前記刃体の刃側が、前記刃体が折曲する側に配置されることを特徴とする請求項１に記載の医療用ナイフ。
【請求項３】
前記刃体カバーの刃体の露出側端部に、切欠部を設けることを特徴とする請求項１に記載の医療用ナイフ。
【請求項４】
前記刃体カバーの外周の断面形状が、楕円又はカプセル形状を成すことを特徴とする請求項１に記載の医療用ナイフ。
【発明の詳細な説明】
【技術分野】
【０００１】
本発明は、外科手術用のメス等、医療現場で用いられるナイフに係り、特に、刃体の角度を調節可能な医療用ナイフに関する。
【背景技術】
【０００２】
従来から、医療用ナイフは、図１１に示すように把持部と刃体が略直線上に位置するものが一般的である。図１１に例として示した従来の医療用ナイフ１００では、把持部１０１と、この把持部１０１の端部に設けられた刃体ホルダ１０２と、その刃体ホルダ１０２の先端に位置する刃体１０３は、略直線上に固定的に配置されている。
【０００３】
しかし、例えば心臓の冠動脈バイパス手術においては、切開する血管の位置と医療用ナイフの刺入角度の関係から、図１１のような従来の医療用ナイフでは術者自身の手にナイフ先端が隠れることがあるため、切開時に見にくく使いづらいという問題があった。即ち、従来の先尖刀の医療用ナイフは、図１１に示すように、刃体の峰側が把持部に略平行で、刃体の刃側が把持部に対して角度が付いているのが一般的である。このような従来の医療用ナイフは、刃体の刃側を下に向けて使用するのが通常である。このとき、刃体の切っ先は把持部の中心線より上に位置するため、切開部が上部から視界に入りやすい。しかし、上述した心臓外科手術のように、患部の位置によって刃体の刃側を上に向けて使用する必要がある場合、従来の医療用ナイフの形状では、切開部の視野性が非常に悪い。
【０００４】
そこで、取り外し可能な刃体を把持部に対して任意の角度に配置できる医療用ナイフがこれまでに市販されている（例えば、特許文献１参照）。図１２に、特許文献１に記載される医療用ナイフを示す。この医療用ナイフ２００は、把持部２０１と、先端に刃体２０３を備えると共に、把持部２０１に対して任意の角度を持って取り付けが可能な刃体ホルダ２０２から構成される。このため、患部の位置や術者の好みにより把持部２０１に対する刃体２０３の角度を変えて、良好な視野性を確保することが可能である。
【先行技術文献】
【特許文献】
【０００５】
【特許文献１】特許第３９８０９８９号公報
【発明の概要】
【発明が解決しようとする課題】
【０００６】
しかしながら、上記図１２に示すような従来の医療用ナイフ２００では、使用に際して把持部２０１に刃体ホルダ２０２を取り付ける作業が必要となる。また、刃体２０３の角度を変更したい場合にも、刃体ホルダ２０２の付け替え作業を行う必要がある。
【０００７】
このような、鋭い刃体を有する刃体ホルダを把持部に対して着脱する作業は、作業者の手指等を傷付ける可能性も高い。また、常に清潔を保つ必要のある刃体に使用前に作業者が触れて雑菌等を付着させる可能性や、細菌等が付着した使用後の刃体に作業者が触れてしまうという危険性もある。感染症等を取り扱う医療機関において、これらは非常に重大な問題である。
【０００８】
そこで本発明は上記従来の状況に鑑みて、刃体の着脱を必要とせずに把持部に対する刃体の角度を簡単に変更可能であって任意の位置で使用でき、且つ安全、衛生的であり、視野性（ナイフ操作部の視認性）に優れた医療用ナイフを提供することを目的とする。
【課題を解決するための手段】
【０００９】
本発明は、上記課題を解決するために、把持部と刃体、及びその刃体を保持する刃体ホルダ部とを有するナイフ本体と、そのナイフ本体の一部を被覆する刃体カバーと、その刃体カバーを前記ナイフ本体に対して刃体を収納する収納位置及び露出する露出位置に係止可能な係止部と、を備える医療用ナイフにおいて、前記刃体ホルダ部が、前記刃体カバーと係合する第一係合部及び第二係合部を備えると共に前記刃体を保持する可動部と、その可動部を軸直角方向に回動可能に弾性支持する弾性支持部と、を備え、前記刃体カバーが、前記第一係合部及び第二係合部と係合する第一案内部及び第二案内部を備え、前記第一係合部は、前記第一案内部と係合して前記可動部を軸方向に案内すると共に、前記第一案内部の隅角部と摺接する第一摺接面を有しその接点を中心に前記可動部を回動させ、前記第二係合部は、前記第二案内部と係合して前記可動部を軸方向に案内すると共に、前記第二案内部の案内面と段階的に摺接するため角度の異なる複数の平面から成る第二摺接面を有し、これにより前記可動部の回動を案内し、前記係止部が前記刃体カバーと前記ナイフ本体を前記収納位置と複数の露出位置において係止可能であり、その複数の露出位置において露出した前記刃体が前記第二摺接面の傾斜角度に従って各々異なる角度に傾斜することを特徴とする医療用ナイフを提供する。
【００１０】
ここで、前記刃体の刃側は、前記刃体が折曲する側に配置されるのが好適である。
【００１１】
また、前記刃体カバーの刃体の露出側端部に、切欠部を設けるのが好ましい。
【００１２】
さらに、前記刃体カバーの外周の断面形状は、楕円又はカプセル形状であるのが好適である。
【発明の効果】
【００１３】
本発明の医療用ナイフによれば、刃体の着脱を行う必要がなく、把持部に対する刃体の角度を、予め設定された複数の角度のうちから任意のものにワンタッチで設定できる。さらに、角度の変更も一切刃体に触れることなくワンタッチで可能であり、安全で衛生的、かつ視野性に優れた医療用ナイフとすることができる。
【図面の簡単な説明】
【００１４】
【図１】本発明の一実施形態に係る医療用ナイフの全体概略図である。
【図２】図１におけるナイフ本体の概略図である。
【図３】図１における刃体カバーの概略図である。
【図４】図１に示す医療用ナイフのロック解除操作及びロック操作の各段階を説明するための模式図である。
【図５】図１に示す医療用ナイフのナイフ本体と刃体カバーのロック解除操作及びロック操作時の動作について説明するための模式図である。
【図６】図１に示す医療用ナイフの可動部を示す模式図である。
【図７】図１に示す医療用ナイフにおいて可動部が案内孔の端部（隅角部）に突き当たった状態を示す模式図である。
【図８】各ロック位置でロック状態にある図１の医療用ナイフの模式図（その１）である。
【図９】各ロック位置でロック状態にある図１の医療用ナイフの模式図（その２）である。
【図１０】本発明の一実施形態に係る医療用ナイフに先の丸い形状の円刃刀を適用した例を示す模式図である。
【図１１】従来の医療用ナイフの外観の一例を示す模式図（その１）である。
【図１２】従来の医療用ナイフの外観の一例を示す模式図（その２）である。
【発明を実施するための形態】
【００１５】
以下、本発明の実施の形態について、図面を参照しながら詳細に説明する。
【００１６】
図１は、本発明の一実施形態に係る医療用ナイフの全体概略図である。図１（ａ）は刃体が刃体カバー内に収納された状態、図１（ｂ）は刃体が刃体カバーから露出された状態を示している。この図に示すように、本発明の医療用ナイフ１は、ナイフ本体２と、刃体カバー３とから構成される。
【００１７】
まず、ナイフ本体２について説明する。図２にナイフ本体の概略を示す。図２（ａ）はその正面図、図２（ｂ）はその上面図、図２（ｃ）はその底面図である。また、図２（ｄ）は、可動部の断面図〔図２（ａ）におけるＡ−Ａ線断面図〕である。これらの図に示すように、ナイフ本体２は、棒状の把持部２１と、刃体２３を保持する刃体ホルダ部２２と、ブリッジ部２８とから構成されている。なお、刃体２３以外の刃体ホルダ部２２、把持部２１、及びブリッジ部２８とは、樹脂により一体成形されるのが好適である。
【００１８】
把持部２１は、医療用ナイフ１を使用する際に術者が把持する柄の部分であり、適度に細く長尺な形状を有する。表面には滑り止めとして凹凸等が形成されていても良い。
【００１９】
刃体ホルダ部２２は、刃体２３と、刃体２３を保持する可動部２４と、その可動部２４と把持部２１とを連結する板バネ部（弾性支持部）２７とを備えている。
【００２０】
刃体２３は、ステンレス鋼等、通常の医療用ナイフに用いられる素材で良い。ここでは先の尖った形状の尖刃刀を例に図示しているが、図１０のような先の丸い形状の円刃刀４１を本発明の医療用ナイフ１に適用しても良い。
【００２１】
またここでは、刃体２３の刃側が医療用ナイフ１の背側（通常使用時に上に来る側）を向くように取り付けている例を図示している。つまり、ナイフ本体２の折曲側に刃体２３の刃側が向く。前述の心臓外科手術のように、刃体の刃側を上に向けて使用したい場合に最適な構成である。勿論、通常のように医療用ナイフ１の腹側に刃体２３の刃を向けた構成としても良い。この場合も、医療用ナイフ１の背側にナイフ本体２が折曲しているため、視野性の良好な医療用ナイフ１とすることができる。
【００２２】
可動部２４は、その先端に刃体２３を保持すると共に、後述するナイフ本体２及び刃体カバー３の操作により刃体２３を図２（ａ）矢印Ｂ方向に変位させる部材である。この可動部２４には、刃体２３を刃体カバー３から露出する際に変位させる側（図２上側）に第一突出部（第一係合部）２５が、また、刃体２３を刃体カバーに収納する際に変位させる側（図２下側）に第二突出部（第二係合部）２６がそれぞれ形成されている。これらの突出部２５、２６は、後述する刃体カバー３の案内孔（第一案内部）３１及び案内溝（第二案内部）３２にそれぞれ係合して、可動部２４の可動領域を規制しつつ可動部２４を所定の位置へ案内するためのものである。
【００２３】
板バネ部２７は、把持部２１と可動部２４を連結しており、常態では図２（ａ）に示すように撓んだ状態だが、刃体２３を刃体カバー３から露出し、可動部２４を変位させた際にはそれに従って伸長する。また、ブリッジ部２８に設けられた突起部（係止部）２９を係合孔３３のロック溝３４に対してロックする際、及びロック解除する際に加えられる円周方向の回動を許容しつつ、一旦ロックされると弾性で復帰してロック状態を維持する。
【００２４】
ブリッジ部２８は、把持部２１から片持ち梁状に張り出た部材であり、製造時に刃体カバー３の装着を可能にするために、把持部２１との接続部分を基点に図２（ａ）矢印Ｃ方向に変位可能である。ブリッジ部２８には、刃体カバー３の係合孔３３と係合する突起部（係止部）２９が設けられている。この突起部２９を、係合孔３３のロック溝３４に係止することにより、ナイフ本体２を刃体カバー３に対して露出位置又は収納位置に保持することが可能となる。
【００２５】
次に、刃体カバー３について説明する。図３に刃体カバーの概略図を示す。図３（ａ）はその正面図、図３（ｂ）はその上面図、図３（ｃ）はその左側面図、図３（ｄ）はその断面図〔図３（ｃ）におけるＤ−Ｄ線断面図〕である。これらの図に示すように、刃体カバー３は略円筒状に形成されており、刃体２３の露出側の端部近傍に可動部２４の第一突出部２５と係合する案内孔（第一案内部）３１を備えている。また、この案内孔３１に対向する位置の内側面には、可動部２４の第二突出部２６と係合する案内溝（第二案内部）３２が形成されている。
【００２６】
刃体カバー３はさらに、案内孔３１よりも把持部２１側の位置に係合孔３３を有している。係合孔３３には、ブリッジ部２８に設けられた突起部２９が係合する。そして、係合孔３３には複数（少なくとも三つ以上）のロック溝３４が形成されており、任意の位置で突起部２９をロック溝３４に係止することにより、刃体２３を所望の角度に設定することができる。ここでは、四つのロック溝３４ａ、３４ｂ、３４ｃ、３４ｄを有する例を示している。
【００２７】
刃体カバー３にはさらに、先端の一部に切欠部３５を設けるのが好適である。このように刃体カバー３の先端の一部を切欠くことで、医療用ナイフ１の刃体２３への視界を遮る部位を取り除き、視野性を向上させることができる。この切欠部３５は、図３（ａ）に示すように斜め上位置に設けられるのが望ましい。ここで注意したい点は、刃体カバー３の背側（通常使用時に上に来る側）の中心付近は、刃体２３の露出及び収納操作の際に刃体２３が通過する軌道に近接している。ここに切欠部３５を設けることは危険性が高いため、これを避けて斜め上位置に配置するのが好適である。
【００２８】
切欠部３５は、左右両側面に設けられても良く、また術者の利き手を考慮して左右どちらかの側面に形成されても良い。ここでは、右利きの術者が使用するのに最適な、把持部２１を手前、刃体２３を奥、刃体カバー３の背側を上にしたとき切欠部３５が左側に位置する医療用ナイフ１を図示している。
【００２９】
なお、上記では刃体カバー３に切欠部３５を形成する構成としたが、視野性の向上に資するためにはこれに限らず、刃体カバー３の刃体露出側先端部の外周面にテーパを設ける、あるいは一部のみ削った形状とする等、種々の工夫が有効である。
【００３０】
なお、図３に示す刃体カバー３には、転がりを防止するためのストッパー３６を刃体カバー３の腹側（通常使用時に下に来る側）の一部に設けた例を示している。
【００３１】
次に、上記のように構成した医療用ナイフにおける、刃体の露出操作及び収納操作時の動作について説明する。
【００３２】
以下では、ナイフ本体２を刃体カバー３から露出した際に、刃体２３を三つの角度〔基準（収納時）に対して、例えば、概ね０度（水平状態）、２０度、３０度〕に傾けて固定できる例について詳述する。以下、ナイフ本体２を収納状態でロックする位置を収納位置Ｌ１、ナイフ本体２を刃体カバー３から露出して基準に対して０度の傾きでロックする位置をロック位置Ｌ２、２０度の傾きでロックする位置をロック位置Ｌ３、３０度の傾きでロックする位置をロック位置Ｌ４とする。
【００３３】
図３に示したように、刃体カバー３に形成された係合孔３３は、複数（ここでは四つ）のロック溝３４ａ、３４ｂ、３４ｃ、３４ｄを備えている。これらのロック溝３４のうち、最もナイフ本体２の把持部２１側に近い位置にあるのが、ナイフ本体２を収納位置Ｌ１にロックするためのロック溝３４ａである。次いで、ナイフ本体２の露出方向に向かって順に、ナイフ本体２をロック位置Ｌ２にロックするためのロック溝３４ｂ、ロック位置Ｌ３にロックするためのロック溝３４ｃ、ロック位置Ｌ４にロックするためのロック溝３４ｄが配置されている。
【００３４】
まず、ナイフ本体２と刃体カバー３のロック解除操作及びロック操作について説明する。ここでは、収納位置Ｌ１でロック状態のナイフ本体２を操作して、ロック位置Ｌ２で再度ロックする場合について説明する。図４及び図５はナイフ本体２と刃体カバー３のロック解除操作及びロック操作時の動作について説明するための模式図である。図４（ａ）乃至図４（ｄ）は、ロック解除操作及びロック操作の各段階における医療用ナイフ１の模式図、図５（ａ）乃至図５（ｄ）は係合孔３３周辺の部分拡大上面図、図５（ｅ）は図５（ａ）におけるＥ−Ｅ線断面図、図５（ｆ）は図５（ｂ）におけるＦ−Ｆ線断面図、図５（ｇ）は図５（ｃ）におけるＧ−Ｇ線断面図、図５（ｈ）は図５（ｄ）におけるＨ−Ｈ線断面図である。
【００３５】
図４（ａ）、図５（ａ）及び図５（ｅ）は、ナイフ本体２が収納位置Ｌ１にロックされている状態を示している。このとき、ブリッジ部２８の突起部２９は、ロック溝３４ａに係止されて安定している。
【００３６】
このロック状態を解除するためには、医療用ナイフ１の把持部２１を把持し刃体カバー３を押さえた状態で、刃体カバー３に対して把持部２１を図５（ｂ）及び図５（ｆ）の矢印Ｉ方向に回動させる。すると、これに伴いブリッジ部２８と板バネ部２７の基部も矢印Ｉ方向に回動する。しかし、このとき図４（ｂ）に示すように、可動部２４の第一突出部２５は案内孔３１に係合しているため、刃体ホルダ２２全体の回動は阻止される。その結果、図４（ｂ）に示すように、板バネ部２７が捩れる。これにより刃体ホルダ２２は、可動部２４は回動せず、板バネ部２７の基部側のみが回動することになる。ブリッジ部２８は、把持部２１の回動に追随して全体が回動する。この回動により、図５（ｂ）及び図５（ｆ）に示すように突起部２９がロック溝３４ａから離脱し、ロック位置Ｌ１でのロックが解除される。
【００３７】
次に、ナイフ本体２をロック位置Ｌ２にロックするには、まずナイフ本体２を刃体カバー３に対して図４（ｃ）及び図５（ｃ）に示す矢印Ｊ方向にスライド移動させる。このとき、ブリッジ部２８及び板バネ部２７の基部は、突起部２９が係合孔３３により円周方向の移動を規制されているため、図４（ｂ）に示した捩れを維持したまま移動する。
【００３８】
突起部２９をロック溝３４ｂの位置までスライドさせたら、図４（ｄ）、図５（ｄ）及び図５（ｈ）に示すようにロック溝３４ｂに係止する〔図５（ｄ）の矢印Ｋ方向〕。捩れた板バネ部２７は弾性復帰し、突起部２９は再度ナイフ本体２を回動させる力が掛からない限り、ロック溝３４ｂ内に安定して係止される。
【００３９】
上記のロック解除操作及びロック操作は、どのロック溝に対して行う場合もほぼ同様である。但し、上記では収納位置Ｌ１にロックするロック溝３４ａから突起部２９を離脱させる際、把持体２１を回動させると可動体２４の第一突出部２５が刃体カバー３の案内孔３１に係合しているため、ブリッジ部２８と板バネ部２７の基部のみが回動すると説明した。これに対して、刃体２３を露出させるロック位置Ｌ２、Ｌ３、Ｌ４にロックするロック溝３４ｂ、３４ｃ、３４ｄから突起部２９を離脱させる場合は、第一突出部２５は案内孔３１から離脱あるいはほぼ離脱している。しかしその代わりに可動体２４は第二突出部２６が刃体カバー３の案内溝３２に係合している。そのため、結果としては上記と同様に把持部２１の回動に伴いブリッジ部２８と板バネ部２７の基部のみが回動することになる。
【００４０】
次に、可動部２４（刃体２３）の角度を可変にする構成と、その動作について説明する。
【００４１】
まず、図６に可動部２４を拡大して示す。この図に示すように、第二突出部２６は、刃体カバー３の内側面又は案内溝３２の底面３２ａに接する摺接面（第二摺接面）２６ａを備えている。この摺接面２６ａは、ここでは四つの角度を形成する摺接面２６ｂ、２６ｃ、２６ｄ、２６ｅから構成されている。
【００４２】
摺接面２６ｂは、収納位置Ｌ１からロック位置Ｌ２へ移る際に、刃体カバー３の内側面又は案内溝３２の底面３２ａに接する面である。次に、摺接面２６ｃは、ナイフ本体２がロック位置Ｌ２にあるとき案内溝３２の底面３２ａに接する面である。この摺接面２６ｃは、基準（収納時）の摺接面２６ｂに対して所定の角度θ１（ここでは１０度）を有している。
【００４３】
次いで、摺接面２６ｄは、ナイフ本体２がロック位置Ｌ３にあるとき案内溝３２の底面３２ａに接する面である。この摺接面２６ｄは、基準（収納時）の摺接面２６ｂに対して所定の角度θ２（ここでは２０度）を有している。さらに、摺接面２６ｅは、ナイフ本体２がロック位置Ｌ４にあるとき案内溝３２の底面３２ａに接する面である。この摺接面２６ｅは、基準（収納時）の摺接面２６ｂに対して所定の角度θ３（ここでは３０度）を有している。
【００４４】
このように、第二突出部２６は、基準となる摺接面２６ｂとその基準の摺接面２６ｂに対して異なる角度（θ１、θ２、…θｎ；ここで、θ１＜θ２＜…＜θｎ）を有する摺接面２６ｃ、２６ｄ、２６ｅを複数備えている。これにより、可動部２４をそれぞれ任意の角度θ１、θ２、…θｎに傾けることができる。
【００４５】
以下、実際の動作について詳述する。図７は、可動部２４が案内孔３１の端部（隅角部）３１ａに突き当たった状態を示す模式図である。また、図８及び図９は、各ロック位置でロック状態にある医療用ナイフ１の模式図である。図８（ａ）は、収納位置Ｌ１にロックされた状態、図８（ｂ）は、ロック位置Ｌ２にロックされた状態、図９（ａ）はロック位置Ｌ３にロックされた状態、図９（ｂ）はロック位置Ｌ４にロックされた状態を示している。
【００４６】
図８（ａ）では、上述したように、可動体２４は第一突出部２５が案内孔３１に係合すると共に、第二突出部２６は摺接面２６ｂが刃体カバー３の内側面と接している。この状態からロックを解除し、ナイフ本体２を刃体カバー３に対して移動させていくと、図７に示すように、刃体２３が刃体カバー３から露出し第二突出部２６が案内溝３２に嵌り係合すると共に第一突出部２５は案内孔３１の端部（隅角部）３１ａに突き当たる。図６に示すように、第一突出部２５は、案内孔３１の端部３１ａに突き当てるための摺接面（第一摺接面）２５ａを有している。
【００４７】
この状態でさらにナイフ本体２を刃体カバー３に対して移動させていくと、可動部２４は図７の矢印Ｌ方向に移動しながら、さらに摺接面２５ａで案内孔３１の端部３１ａと突き当たって摺動しつつ図７の矢印Ｍ方向に徐々に回動する。この回動に従って板バネ部２７は次第に撓みが伸長する。さらに、この回動に伴い、第二突出部２６も摺接面２６ｂで案内溝３２の底面３２ａを徐々に摺動しながら回動する。そして、隣り合う摺接面２６ｃに案内溝３２の底面３２ａが接したところで、刃体２３の角度が基準よりθ１度（ここでは１０度）傾く。ロック溝３４ｂは、この状態でブリッジ部２８の突起部２９をロックできる位置に配置されるようにする。そのため、ここ（ロック位置Ｌ２）でロックすると、可動部２４は基準よりθ１度傾いた状態で固定され、把持部２１に対して刃体２３がθ１度傾いた医療用ナイフ１とすることができる。
【００４８】
上記と同様に、ロック溝３４ｃ、３４ｄは、摺接面２６ｄ、２６ｅに案内溝３２の底面３２ａが接触して、刃体２３の角度が基準よりθ２度、θ３度傾いた状態でブリッジ部２８の突起部２９をロックできる位置にそれぞれ配置される。従って、把持部２１に対してθ２度、θ３度傾いた医療用ナイフ１が必要な場合は、ナイフ本体２を刃体カバー３に対してさらに露出方向に移動させ、可動部２４が回動して摺接面２６ｄ、２６ｅに案内溝３２の底面３２ａが接触し、刃体２３が基準よりθ２度、θ３度傾いた状態でブリッジ部２８の突起部２９をロック溝３４ｃ、３４ｅにロックすれば良い（ロック位置Ｌ３、Ｌ４）。
【００４９】
なお、上記ロック位置Ｌ２、Ｌ３、Ｌ４からロック解除して、元の収納位置Ｌ１にナイフ本体２を戻す場合は、ナイフ本体２を回動させてロック溝３４ｂ、３４ｃ、３４ｄからブリッジ部２８の突起部２９を離脱させ、さらにナイフ本体２を収納方向に移動させる。すると、可動部２４は図７の矢印Ｍとは逆の方向に回動しながら後退し、板バネ部２７が復帰して元通りに撓む。また、第一突出部２５が再度案内孔３１に係合し、第二突出部２６は案内溝３２から離脱する。ナイフ本体２を刃体カバー３内でそのまま後退させ、ブリッジ部２８の突起部２９をロック溝３４ａの位置までスライドさせたらここに係止してロックする。このように医療用ナイフ１を安全に収納することができる。
【００５０】
なお、上記ではナイフ本体２の把持部２１及び刃体カバー３の断面形状が円である例を示しているが、楕円やカプセル型、多角形、あるいはその組み合わせ等であっても良い。本発明では、把持部２１を回動させてブリッジ部２８に設けた突起部２９を係合孔３３のロック溝３４に対して係止、離脱させるため、刃体カバー３内で把持部２１、ブリッジ部２８及び板バネ部２７の基部が回動可能な形状とする必要があるが、それが可能であればどのような形状であっても良い。特に、楕円やカプセル型を刃体カバーの外周の断面形状に適用した場合、長軸方向が上下方向になるようにすれば、その長径と直径が同一の円と比較すると視界を遮る部分が円よりも少ないため、視野性に優れたものとなる。
【００５１】
なお、上記では刃体２３の取付角度も予め把持部２１に対して折曲されている。これにより、刃体２３を露出した際の折曲角度を大きくすることができる。勿論、把持部２１に対して平行に刃体２３を取り付けても良い。
【００５２】
上記のように構成することにより、本発明の医療用ナイフによれば、刃体の着脱を行う必要がなく、把持部に対する刃体の角度を、予め設定された複数の角度のうちから任意のものにワンタッチで設定できる。さらに、角度の変更も一切刃体に触れることなくワンタッチで可能であり、安全で衛生的、かつ視野性に優れた医療用ナイフとすることができる。
【００５３】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００５４】
本発明は、外科手術用のメス等の医療現場で用いられるナイフに係り、特に、刃体の角度を調節可能な医療用ナイフに関し、産業上の利用可能性を有する。
【符号の説明】
【００５５】
１      医療用ナイフ
２      ナイフ本体
３      刃体カバー
２１    把持部
２２    刃体ホルダ部
２３    刃体
２４    可動部
２５    第一突出部（第一係合部）
２５ａ  摺接面（第一摺接面）
２６    第二突出部（第二係合部）
２６ａ  摺接面（第二摺接面）
２６ｂ  摺接面
２６ｃ  摺接面
２６ｄ  摺接面
２６ｅ  摺接面
２７    板バネ部（弾性支持部）
２８    ブリッジ部
２９    突起部（係止部）
３１    案内孔（第一案内部）
３１ａ  案内孔の端部（隅角部）
３２    案内溝（第二案内部）
３２ａ  案内溝の底面
３３    係合孔
３４    ロック溝
３４ａ  ロック溝
３４ｂ  ロック溝
３４ｃ  ロック溝
３４ｄ  ロック溝
３５    切欠部
３６    ストッパー
４１    円刃刀
【図１】
2011110198.tif 000003
【図２】
2011110198.tif 000004
【図３】
2011110198.tif 000005
【図４】
2011110198.tif 000006
【図５】
2011110198.tif 000007
【図６】
2011110198.tif 000008
【図７】
2011110198.tif 000009
【図８】
2011110198.tif 000010
【図９】
2011110198.tif 000011
【図１０】
2011110198.tif 000012
【図１１】
2011110198.tif 000013
【図１２】
2011110198.tif 000014
【手続補正書】
【提出日】平成23年3月24日(2011.3.24)
【手続補正１】
【補正対象書類名】特許請求の範囲
【補正対象項目名】請求項２
【補正方法】変更
【補正の内容】
【請求項２】
前記刃体の刃側が、該刃体を露出位置に係止した際に、前記把持部となす角度が小さい側に配置されることを特徴とする請求項１に記載の医療用ナイフ。
【手続補正２】
【補正対象書類名】明細書
【補正対象項目名】００１０
【補正方法】変更
【補正の内容】
【００１０】
ここで、前記刃体の刃側は、この刃体を露出位置に係止した際に、前記把持部となす角度が小さい側に配置されるのが好適である。